(57)【要約】      （修正有）【課題】肩凝りの発生を抑制することができるエプロン付き上衣を提供する。【解決手段】上衣２及びエプロン３を含むエプロン付き上衣１であって、上衣２の胸部２０には、第１取付部２１が形成され、エプロン３の胸当て部３０には、第２取付部３１が形成され、着用時に第１取付部２１に第２取付部３１を脱着可能に取り付けることで、上衣２にエプロン３を脱着可能に固定する。第１取付部２１は、ボタンで形成され、第２取付部３１は、ボタンに対応するボタンホールで形成されてもよく、第１取付部２１及び第２取付部３１は、スナップボタンで形成されてもよい。【選択図】図１
0003232210.tif 000002
【実用新案登録請求の範囲】
【請求項１】
上衣及びエプロンを含むエプロン付き上衣であって、
前記上衣の胸部には、第１取付部が形成され、
前記エプロンの胸当て部には、第２取付部が形成され、
着用時に前記第１取付部に前記第２取付部を脱着可能に取り付けることで、前記上衣に前記エプロンを脱着可能に固定する、エプロン付き上衣。
【請求項２】
前記第１取付部は、ボタンで形成され、前記第２取付部は、前記ボタンに対応するボタンホールで形成される、請求項１に記載のエプロン付き上衣。
【請求項３】
前記第１取付部及び前記第２取付部は、スナップボタンで形成される、請求項１に記載のエプロン付き上衣。
【請求項４】
前記上衣の胸部の上部には開閉部が設けられており、前記開閉部は第３取付部及び第４取付部によって開閉可能に連結される、請求項１〜３のいずれかに記載のエプロン付き上衣。
【請求項５】
前記第３取付部はボタンで形成され、前記第４取付部は前記ボタンに対応するボタンホールで形成されており、少なくとも一つの前記第３取付部が第１取付部を形成する、請求項４に記載のエプロン付き上衣。
【請求項６】
前記エプロンの腰当て部の身幅方向の両側の上端にはそれぞれ第１腰紐及び第２腰紐が形成され、着用時に前記上衣の後身頃の腰部にて第１腰紐及び第２腰紐を脱着可能に連結する、請求項１〜５のいずれかに記載のエプロン付き上衣。
【請求項７】
前記エプロンの上端は平らな形状である、請求項１〜６のいずれかに記載のエプロン付き上衣。
【請求項８】
前記エプロンの上端は凸形状である、請求項１〜６のいずれかに記載のエプロン付き上衣。
【考案の詳細な説明】
【技術分野】
【０００１】
本考案は、エプロン付き上衣に関し、詳細には、上衣及び上衣に脱着可能に取り付けるエプロンを含むエプロン付き上衣に関する。
【背景技術】
【０００２】
飲食業、及び農業などの作業時に、通常、衣服の汚れを防止するためにエプロンを着用する。このような作業用エプロンは、通常、上半身と下半身を同時に覆う前掛けと、前掛けに縫着された首掛け紐及び腰巻紐を備え、着用する際に首掛け紐を首の後ろで結び、腰巻紐を腰の後ろで結ぶことによって身体に固定する（例えば、特許文献１）。
【先行技術文献】
【特許文献】
【０００３】
【特許文献１】特開２００４−１９０３２号公報
【考案の概要】
【考案が解決しようとする課題】
【０００４】
しかしながら、エプロン着用する際に首掛け紐を首の後ろで結ぶことによって身体に固定すると、着用者に肩凝りが生じることがあった。
【０００５】
本考案は、上記従来の問題を解決するため、肩凝りの発生を抑制することができるエプロン付き上衣を提供する。
【課題を解決するための手段】
【０００６】
本発明は、上衣及びエプロンを含むエプロン付き上衣であって、前記上衣の胸部には、第１取付部が形成され、前記エプロンの胸当て部には、第２取付部が形成され、着用時に前記第１取付部に前記第２取付部を脱着可能に取り付けることで、前記上衣に前記エプロンを脱着可能に固定する、エプロン付き上衣に関する。
【考案の効果】
【０００７】
本考案は、肩凝りの発生を抑制し得るエプロン付き上衣を提供することができる。
【図面の簡単な説明】
【０００８】
【図１】本発明の一実施形態のエプロン付き上衣の模式的正面図である。
【図２】本発明の一実施形態における上衣の模式的正面図である。
【図３】本発明の一実施形態におけるエプロンの模式的正面図である。
【図４】本発明の一実施形態のエプロン付き上衣を着用した状態を説明する模式的正面図である。
【図５】本発明の他の一実施形態のエプロン付き上衣を着用した状態を説明する模式的背面図である。
【図６】本発明の他の一実施形態のエプロン付き上衣の部分的模式的正面図である。
【図７】本発明の他の一実施形態における上衣の部分的模式的正面図である。
【考案を実施するための形態】
【０００９】
本発明の考案者らは、エプロンを付けて作業する際に肩凝りが生じることを抑制することについて検討を重ねた。その結果、エプロンに首掛け紐を設けず、着用時に、上衣の胸部に形成した第１取付部に、エプロンの胸当て部に形成した第２取付部を脱着可能に取り付け、上衣にエプロンを脱着可能に固定することで、首や肩にかかる負担を軽減し、肩凝りの発生を抑制し得ることを見出した。
【００１０】
以下、図面に基づいて、本考案の１以上の実施形態のエプロン付き上衣を説明する。本考案は、図面に示されたものに限定されない。以下の図面において、同一符号は同一部材を示す。
【００１１】
図１は、本発明の一実施形態のエプロン付き上衣の模式的正面図である。図２は、同上衣の模式的正面図である。図３は、同エプロンの模式的正面図である。図４は、同エプロン付き上衣を着用した状態を説明する模式的正面図であり、図５は同模式的背面図である。
【００１２】
該実施形態のエプロン付き上衣１は、上衣２及びエプロン３を含む。上衣２は、胸部２０に形成された第１取付部２１を備える。エプロン３は、胸当て部３０に形成された第２取付部３１を備える。着用時に、第１取付部２１に第２取付部３１を脱着可能に取り付けることで、上衣２にエプロン３が脱着可能に固定される。
【００１３】
該実施形態において、上衣２は、三つの第１取付部２１ａ、２１ｂ、２１ｃを有する。また、エプロン３は、対応する三つの第２取付部３１ａ、３１ｂ、３１ｃを有する。
【００１４】
該実施形態において、三つの第１取付部２１ａ、２１ｂ、２１ｃはいずれもボタンで形成され、対応する三つの第２取付部３１ａ、３１ｂ、３１ｃは、ボタンに対応するボタンホールで形成されている。着用時に、ボタンを、対応するボタンホールに通すことで、上衣２にエプロン３を脱着可能に固定することができる。なお、必要に応じて、三つの第１取付部２１ａ、２１ｂ、２１の中の１個又は２個のみを、対応する三つの第２取付部３１ａ、３１ｂ、３１ｃの中の１個又は２個に脱着可能に取り付けることで、上衣２にエプロン３を脱着可能に固定してもよい。
【００１５】
第１取付部及び第２取付部は、着用時に、第１取付部に第２取付部を脱着可能に取り付けることで、上衣２にエプロン３が脱着可能に固定することができればよく、その個数は特に限定されない。例えば、第１取付部及び第２取付部は、それぞれ、１個でもよく、２個以上の複数でもよい。固定性及び簡便性の観点から、第１取付部及び第２取付部の個数は２個又は３個であることが好ましい。
【００１６】
複数の第１取付部２１、及び複数の第２取付部３１は、それぞれ、身幅方向に一直線に並んでいてもよく、一直線に並ばなくともよい。エプロン３に対する胸部の支持力が均等になりやすい観点から、身幅方向に一直線に並ぶことが好ましい。
【００１７】
隣り合う第１取付部２１の間隔、及び隣り合う第２取付部３１の間隔は、それぞれ、同じでもよく、異なってもいてもよい。エプロン３に対する支持力が均等になりやすい観点から、隣り合う第１取付部２１の間隔、及び隣り合う第２取付部３１の間隔は、それぞれ、同じであることが好ましい。
【００１８】
第１取付部２１及び第２取付部２２は、特に限定されず、ボタン以外の脱着可能に接合する他の部材で構成されてもよい。他の部材としては、スナップボタン及び面ファスナーなどが挙げられる。第１取付部２１及び第２取付部２２が複数の場合、個々の第１取付部２１及び第２取付部２２を異なる部材で形成してもよい。例えば、一部の第１取付部をボタンで形成し、それに対応する第２取付部をボタンホールで形成し、残りの第１取付部及び第２取付部をスナップボタン及び／又は面ファスナーで構成してもよい。取扱性や洗濯耐久性等の観点から、第１取付部２１及び第２取付部２２は、ボタン（ボタンホール）及び／又はスナップボタンで構成されていることが好ましい。
【００１９】
上衣２の胸部の上部には開閉部２２が設けられ、開閉部２２は第３取付部２３及び第４取付部２４によって開閉可能に連結されてもよい。第３取付部２３及び第４取付部２４は、それぞれ、１個でもよく、２個以上の複数でもよい。簡便性の観点から、第３取付部及び第４取付部の個数は１個又は２個であることが好ましい。
【００２０】
該実施形態において、上衣２は、二つの第３取付部２３ａ、２３ｂ、及び対応する二つの第４取付部２４ａ、２４ｂを有する。二つの第３取付部２３ａ、２３ｂはボタンで形成され、対応する二つの第４取付部２４ａ、２４ｂはボタンホールで形成されている。第３取付部２３及び第４取付部２４は、特に限定されず、ボタン以外の脱着可能に接合する他の部材で構成されてもよい。他の部材としては、スナップボタン及び面ファスナーなどが挙げられる。
【００２１】
該実施形態において、第３取付部２３ｂと第１取付部２１ｂが共通しており、すなわち第３取付部２３ｂが第１取付部２１ｂとして用いられる。これにより、着用感もよくなり、美観にも優れる。もちろん、第３取付部２３ｂと第１取付部２１ｂは共通しなくてもよい、すなわち、第３取付部２３ｂとは別に第１取付部２１ｂを形成してもよい。
【００２２】
該実施形態において、エプロン３の胸当て部３０の上端は平らになっており、第２取付部３１はエプロン３の上胸当て部３０の上端近辺に配置されている。これにより、上衣２にエプロン３を固定した際、エプロン３を支持しやすい。
【００２３】
エプロン３は、胸当て部３０と一枚生地で構成されている腰当て部４０を有する。腰当て部４０は、膝まで伸びてもよく、足首まで伸びてもよい。腰当て部４０の身幅方向の両側の上端には第１腰紐３２及び第２腰紐３３が形成され、着用時に上衣２の後身頃の腰部にて第１腰紐３２及び第２腰紐３３を脱着可能に連結することで、エプロン３を腰部に固定する。
【００２４】
図６は、本発明の他の一実施形態におけるエプロン付き上衣の部分的模式的正面図である。図７は、同上衣の部分的模式的正面図である。
【００２５】
図６及び７に示すように、該実施形態のエプロン付き上衣１１は、エプロン１３の胸当て部５０の上端が凸形状であり、第１取付部１２１及び第２取付部１３１の配置が異なる以外は、図１〜５に示すエプロン付き上衣１と同様の構成を有することができる。エプロン付き上衣１と同様の構成についての説明は省略する。
【００２６】
三つの第２取付部１３１ａ、１３１ｂ、１３１ｃは、エプロン１３の胸当て部５０の上端近辺に形成されている。三つの第１取付部１２１ａ、１２１ｂ、１２１ｃは、上衣１２の胸部の対応する位置に形成されている。三つの第１取付部２１ａ、２１ｂ、２１ｃはいずれもボタンで形成され、対応する三つの第２取付部３１ａ、３１ｂ、３１ｃは、ボタンに対応するボタンホールで形成されている。
【００２７】
上衣１２の胸部の上部には開閉部１２２が設けられ、開閉部１２２は第３取付部１２３（１２３ａ、１２３ｂ）及び第４取付部１２４（１２４ａ、１２４ｂ）によって開閉可能に連結されてもよい。二つの第３取付部１２３ａ、１２３ｂはボタンで形成され、対応する二つの第４取付部１２４ａ、１２４ｂはボタンホールで形成されている。第３取付部１２３ｂは第１取付部１２１ｂと共通している。
【００２８】
第１取付部１２１、第２取付部１３１、第３取付部１２３及び第４取付部１２４は、スナップボタン及び／又は面ファスナーで構成されてもよい。
【００２９】
上衣は、前身頃、後身頃、襟部及び袖部を有している。袖部の長さは特に限定されず、半袖（１〜５分袖）でもよく、長袖（６分袖以上）でもよい。また、必要に応じてフードを有してもよい。また、上衣と一体化された下衣を含んでもよい。
【００３０】
上衣は、特に限定されず、衣類に用いられる生地で構成することができる。例えば織物、編物等を用いることができる。織物としては、例えば平織、斜文織、朱子織、変化平織、変化斜文織、変化朱子織、変わり織、紋織、片重ね織、二重組織、多重組織、経パイル織、緯パイル織、絡み織等が挙げられる。編物としては、例えば丸編、緯編、経編（トリコット編、ラッセル編を含む）、パイル編、平編、天竺編、リブ編、スムース編（両面編）、ゴム編、パール編、デンビー組織、コード組織、アトラス組織、鎖組織、挿入組織等が挙げられる。
【００３１】
エプロンは防水素材で構成することが好ましい。防水素材を用いることで、汚れ防止効果が高まる。
【００３２】
防水素材は、防水性を有するものであればよく、特に限定されないが、防水性に優れる観点から、編物及び織物等の生地の裏面に樹脂をラミネート又はコーティングした防水素材であることが好ましく、編物又は織物の裏面に樹脂をコーティングした防水コーティング素材或いは編物又は織物の裏面に樹脂をラミネートした防水ラミネート素材であることがより好ましい。前記樹脂としては、編物又は織物に防水性を付与するものであればよく、特に限定されず、例えば、ポリウレタン樹脂、ポリアミノ酸系樹脂、ポリエステル系樹脂、ポリアミド系樹脂、ポリテトラフルオロエチレン等を用いることができる。中でも、透湿性及び防水性の観点から、ポリウレタン樹脂が好ましい。上記防水素材は、編物又は織物の裏面にポリウレタン樹脂をコーティングした防水コーティング素材或いは編物又は織物の裏面にポリウレタン樹脂をラミネートした防水ラミネート素材であることが特に好ましい。
【００３３】
エプロン付き上衣は、着用時に、図４〜５に示すように、上衣２を装着し、上衣２の上にエプロン３を装着し、第１取付部２１に第２取付部３１を脱着可能に取り付けて、上衣２にエプロン３を脱着可能に固定した後、上衣２の後身頃の腰部にて、腰当て部４０の身幅方向の両側の上端に形成されている第１腰紐３２及び第２腰紐３３を脱着可能に連結することで、エプロン３を腰部に固定する。作業時に、エプロン３を胸部及び腰部でサポートすることで、肩凝りが生じることを抑制することができる。
【００３４】
本発明のエプロン付き上衣は、特に限定されず、飲食業、及び農業などのエプロンを必要とする各種作業時に好適に用いることができる。
【符号の説明】
【００３５】
１、１１  エプロン付き上衣
２、１２  上衣
３、１３  エプロン
２０  胸部
２１、２１ａ、２１ｂ、２１ｃ、１２１、１２１ａ、１２１ｂ、１２１ｃ  第１取付部
２２、１２２  開閉部
２３、２３ａ、２３ｂ、１２３、１２３ａ、１２３ｂ  第３取付部
２４、２４ａ、２４ｂ、１２４、１２４ａ、１２４ｂ  第４取付部
３０、５０  胸当て部
３１、３１ａ、３１ｂ、３１ｃ、１３１、１３１ａ、１３１ｂ、１３１ｃ  第２取付部
３２、３３  腰紐
４０  腰当て部
【図１】
0003232210.tif 000003
【図２】
0003232210.tif 000004
【図３】
0003232210.tif 000005
【図４】
0003232210.tif 000006
【図５】
0003232210.tif 000007
【図６】
0003232210.tif 000008
【図７】
0003232210.tif 000009